(57)【特許請求の範囲】
【請求項１】
複数のサブネットから構成され、モバイルＩＰ（Ｉｎｔｅｒｎｅｔ  Ｐｒｏｔｏｃｏｌ）を適用可能なモバイル通信網システムであって、
前記サブネットのアドレスをランダムに変更する手段と、
前記複数のサブネットに設けられかつ各々自サブネットに現在付与されているアドレスを自サブネット内に収容する端末に通知する第１の通知手段と、
前記複数のサブネットに設けられかつ各々自サブネットに現在付与されているアドレスを隣接するルータに通知する第２の通知手段とを有し、
前記サブネットにおいて、変更前のアドレスを用いたパケットの配送が無くなる時間まで前記変更前のアドレスと変更後のアドレスとを２重に保持するようにしたことを特徴とするモバイル通信網システム。
【請求項２】
前記複数のサブネットは、複数の固定ＩＰサブネットと、複数の可変ＩＰサブネットとからなることを特徴とする請求項１記載のモバイル通信網システム。
【請求項３】
前記複数の固定ＩＰサブネット各々は、モバイルＩＰ端末に対応するホームエージェントを備え、
前記複数の可変ＩＰサブネット各々は、前記モバイルＩＰ端末を一時的に収容するようにしたことを特徴とする請求項２記載のモバイル通信網システム。
【請求項４】
前記変更前のアドレスと前記変更後のアドレスとは、前記複数の可変ＩＰサブネット内に配設された外部エージェントルータに、前記変更前のアドレスを用いたパケットの配送が無くなる時間まで２重に保持するようにしたことを特徴とする請求項２または請求項３記載のモバイル通信網システム。
【請求項５】
発信元から前記モバイルＩＰ端末へのパケットデータは、前記ホームエージェントを経由して前記外部エージェントルータ宛てに配送されることを特徴とする請求項４記載のモバイル通信網システム。
【請求項６】
前記第２の通知手段は、分散制御的な処理及び集中制御的な処理のうちのいずれかによって前記アドレスを隣接するルータに通知するようにしたことを特徴とする請求項１から請求項５のいずれか記載のモバイル通信網システム。
【請求項７】
モバイルＩＰ（Ｉｎｔｅｒｎｅｔ  Ｐｒｏｔｏｃｏｌ）を適用可能なモバイル通信網システムを構成するサブネット内に配設された外部エージェントルータであって、
自サブネットに現在付与されているアドレスを自サブネット内に収容する端末に通知する第１の通知手段と、
自サブネットに現在付与されているアドレスを隣接するルータに通知する第２の通知手段とを有し、
変更前のアドレスを用いたパケットの配送が無くなる時間まで前記変更前のアドレスと変更後のアドレスとを２重に保持するようにしたことを特徴とする外部エージェントルータ。
【請求項８】
前記サブネットは、モバイルＩＰ端末に対応するホームエージェントを備えた固定ＩＰサブネットと、前記モバイルＩＰ端末を一時的に収容する可変ＩＰサブネットとからなるモバイル通信網システムにおける前記可変ＩＰサブネットであることを特徴とする請求項７記載の外部エージェントルータ。
【請求項９】
発信元から前記モバイルＩＰ端末へのパケットデータが前記ホームエージェントを経由して配送されることを特徴とする請求項８記載の外部エージェントルータ。
【請求項１０】
前記第２の通知手段は、分散制御的な処理及び集中制御的な処理のうちのいずれかによって前記アドレスを隣接するルータに通知するようにしたことを特徴とする請求項７から請求項９のいずれか記載の外部エージェントルータ。
【請求項１１】
複数の固定ＩＰ（Ｉｎｔｅｒｎｅｔ  Ｐｒｏｔｏｃｏｌ）サブネットと複数の可変ＩＰサブネットとから構成され、モバイルＩＰを適用可能なモバイル通信網システムにおいて前記複数の固定ＩＰサブネットのいずれかに接続されるアドレスサーバであって、
変更前のネットワークアドレスを用いたパケットの配送が無くなる時間まで前記変更前のネットワークアドレスと変更後のネットワークアドレスとを２重に保持するように前記複数の可変ＩＰサブネット各々のネットワークアドレスをランダムに変更して配付する配付手段を有することを特徴とするアドレスサーバ。
【請求項１２】
前記配付手段は、前記ネットワークアドレスの切替えの際に予め設定された一定の切替え時間において、該当する可変ＩＰサブネットに２つのネットワークアドレスを割り当てることを特徴とする請求項１１記載のアドレスサーバ。
【請求項１３】
複数のサブネットから構成され、モバイルＩＰ（Ｉｎｔｅｒｎｅｔ  Ｐｒｏｔｏｃｏｌ）を適用可能なモバイル通信網システムのパケット配送方法であって、
前記サブネットのアドレスをランダムに変更するステップと、
前記複数のサブネットに設けられかつ各々自サブネットに現在付与されているアドレスを自サブネット内に収容する端末に通知するステップと、
前記複数のサブネットに設けられかつ各々自サブネットに現在付与されているアドレスを隣接するルータに通知するステップとを有し、
前記サブネットにおいて、変更前のアドレスを用いたパケットの配送が無くなる時間まで前記変更前のアドレスと変更後のアドレスとを２重に保持するようにしたことを特徴とするパケット配送方法。
【請求項１４】
前記複数のサブネットは、複数の固定ＩＰサブネットと、複数の可変ＩＰサブネットとからなることを特徴とする請求項１３記載のパケット配送方法。
【請求項１５】
前記複数の固定ＩＰサブネット各々は、モバイルＩＰ端末に対応するホームエージェントを備え、
前記複数の可変ＩＰサブネット各々は、前記モバイルＩＰ端末を一時的に収容するようにしたことを特徴とする請求項１４記載のパケット配送方法。
【請求項１６】
前記変更前のアドレスと前記変更後のアドレスとは、前記複数の可変ＩＰサブネット内に配設された外部エージェントルータに、前記変更前のアドレスを用いたパケットの配送が無くなる時間まで２重に保持するようにしたことを特徴とする請求項１４または請求項１５記載のパケット配送方法。
【請求項１７】
発信元から前記モバイルＩＰ端末へのパケットデータは、前記ホームエージェントを経由して前記外部エージェントルータ宛てに配送されることを特徴とする請求項１６記載のパケット配送方法。
【請求項１８】
前記アドレスを隣接するルータに通知するステップは、分散制御的な処理及び集中制御的な処理のうちのいずれかによって前記アドレスを隣接するルータに通知するようにしたことを特徴とする請求項１３から請求項１７のいずれか記載のパケット配送方法。
【発明の詳細な説明】
【０００１】
【発明の属する技術分野】
本発明はモバイル通信網システム、外部エージェントルータ、アドレスサーバ及びそれらに用いるパケット配送方法に関し、特に固定ＩＰ（ＩｎｔｅｒｎｅｔＰｒｏｔｏｃｏｌ）サブネットからなるネットワークシステムに関する。
【０００２】
【従来の技術】
従来、この種の固定ＩＰサブネットからなるネットワークシステムにおいては、モバイルＩＰプロトコル［Ｍｏｂｉｌｅ  ＩＰ（ｖｅｒ．４）］を運用した場合、ＩＰ端末（移動ノード）の位置管理を行うホームエージェントの配置形態として以下に示すような２通りの配置形態がある。
【０００３】
一つ目の配置形態は構内ＬＡＮ（Ｌｏｃａｌ  Ａｒｅａ  Ｎｅｔｗｏｒｋ）等で多く適用される形態で、直接端末を収容するＥｔｈｅｒｎｅｔ（Ｒ）等のデスクトップＬＡＮにモバイルＩＰプロトコル対応ルータを配置し、このルータがそのサブネットワークに所属するＩＰ端末を収容するホームエージェントと、そのサブネットワークにローミングしてきた外部ＩＰ端末に対する外部エージェント（Ｆｏｒｅｉｇｎ  Ａｇｅｎｔ）を兼ねる形態である。
【０００４】
二つ目の配置形態はホームエージェントに仮想的なサブネット、つまり実際には所属端末を持たないサブネットを対応させ、モバイルＩＰ端末がどこにいても常に外部移動中の扱いとしてホームエージェントが移動先サブネットへパケットを転送する形態である。この場合、ホームエージェントはどこにあっても構わないが、外部網と接続するゲートウェイの近くに配置するのが効率的である。
【０００５】
この場合、二つ目の配置形態では、図６に示すように、ホームエージェント（ＨＡ）１１にホームリンク１０１を介して接続されたモバイルＩＰ端末［移動ノード（ＭＮ）］１３が移動して外部リンク１０２を介して外部エージェント（ＦＡ）１２に接続された場合、ホームエージェント１１は通信相手（ＣＮ）１４からモバイルＩＰ端末１３ヘのパケットを外部エージェント１２に転送し、外部エージェント１２からモバイルＩＰ端末１３ヘ配信することとなる。
【０００６】
ここで、Ｍｏｂｉｌｅ  ＩＰ（ｖｅｒ．４）については、ＩＥＴＦ（Ｉｎｔｅｒｎｅｔ  Ｅｎｇｉｎｅｅｒｉｎｇ  Ｔａｓｋ  Ｆｏｒｃｅ）のＲＦＣ（Ｒｅｑｕｅｓｔ  Ｆｏｒ  Ｃｏｍｍｅｎｔｓ）２００２に記載されている。
【０００７】
このＭｏｂｉｌｅ  ＩＰ（ｖｅｒ．４）の基本動作について以下説明する。モバイルＩＰ端末１３がエージェント（Ａｇｅｎｔ）公告受信によって、ホームリンク１０１または外部リンク１０２のいずれに収容されているかを識別（Ａｇｅｎｔ  Ｄｉｓｃｏｖｅｒｙ）する。モバイルＩＰ端末１３はホームリンク１０１と識別すると、モビリティサービスを利用しない。
【０００８】
モバイルＩＰ端末１３は外部リンク１０２と識別した場合、外部エージェント１２のアドレスまたはＤＨＣＰ（Ｄｙｎａｍｉｃ  Ｈｏｓｔ  Ｃｏｎｆｉｇｕｒａｔｉｏｎ  Ｐｒｏｔｏｃｏｌ）等から得たアドレス（ｃｏ−ｌｏｃａｔｅｄ：２つ目のアドレス）を気付けアドレスとして自分のホームエージェント１１に登録（Ｒｅｇｉｓｔｒａｔｉｏｎ）する。その際、モバイルＩＰ端末１３は外部エージェント１２を介してホームエージェント１１に登録してもよい。また、モバイルＩＰ端末１３は外部リンク１０２からホームリンク１０１に戻った際にもホームエージェント１１への位置登録を更新する。
【０００９】
通信相手１４からモバイルＩＰ端末１３ヘのパケットはホームエージェント１１が捕獲し、気付けアドレスまでのトンネルを用いて転送され、気付けアドレスからモバイルＩＰ端末１３に届けられる。モバイルＩＰ端末１３から通信相手１４ヘのパケットは基本的に、一般のＩＰパケット転送機構（例えば、ＩＰルータ網１００）によって運ばれる。
【００１０】
通信相手１４からモバイルＩＰ端末１３ヘのパケットの転送においては、ホームエージェント１１から通信相手１４にモバイルＩＰ端末１３の在圏位置（気付けアドレス）を通知することで、通信相手１４とモバイルＩＰ端末１３との間でルート最適化を行う経路最適化機能を用いるオプションも提案されている。但し、Ｍｏｂｉｌｅ  ＩＰ（ｖｅｒ．６）では、図７に示すように、オプションの転送方法としてではなく、検討されている。
【００１１】
【発明が解決しようとする課題】
上述した従来のネットワークシステムでは、前者のホームエージェント経由の転送方法を選択した場合、ホームエージェントへのトラフィック集中を招くことから、ネットワークシステム全体のスループットを著しく制限する要因となりうる。
【００１２】
一方、後者の経路最適化機能を用いるオプションを選択した場合には、ホームエージェントへのトラフィック集中を回避することができる反面、モバイルＩＰ端末の在圏位置が通信相手側へと通知されることから、モバイルＩＰ端末の在圏位置を隠蔽したいというプライバシイ保護の要求が満たされないという利用上の問題がある。
【００１３】
そこで、本発明の目的は上記の問題点を解消し、経路最適化機能とプライバシ保護の要求とを両立させることができるモバイル通信網システム、外部エージェントルータ、アドレスサーバ及びそれらに用いるパケット配送方法を提供することにある。
【００１４】
【課題を解決するための手段】
本発明によるモバイル通信網システムは、複数のサブネットから構成され、モバイルＩＰ（Ｉｎｔｅｒｎｅｔ  Ｐｒｏｔｏｃｏｌ）を適用可能なモバイル通信網システムであって、
前記サブネットのアドレスをランダムに変更する手段と、
前記複数のサブネットに設けられかつ各々自サブネットに現在付与されているアドレスを自サブネット内に収容する端末に通知する第１の通知手段と、
前記複数のサブネットに設けられかつ各々自サブネットに現在付与されているアドレスを隣接するルータに通知する第２の通知手段とを備え、
前記サブネットにおいて、変更前のアドレスを用いたパケットの配送が無くなる時間まで前記変更前のアドレスと変更後のアドレスとを２重に保持するようにしている。
【００１５】
本発明による外部エージェントルータは、モバイルＩＰ（Ｉｎｔｅｒｎｅｔ  Ｐｒｏｔｏｃｏｌ）を適用可能なモバイル通信網システムを構成するサブネット内に配設された外部エージェントルータであって、
自サブネットに現在付与されているアドレスを自サブネット内に収容する端末に通知する第１の通知手段と、
自サブネットに現在付与されているアドレスを隣接するルータに通知する第２の通知手段とを備え、
変更前のアドレスを用いたパケットの配送が無くなる時間まで前記変更前のアドレスと変更後のアドレスとを２重に保持するようにしている。
【００１６】
本発明によるアドレスサーバは、複数の固定ＩＰ（Ｉｎｔｅｒｎｅｔ  Ｐｒｏｔｏｃｏｌ）サブネットと複数の可変ＩＰサブネットとから構成され、モバイルＩＰを適用可能なモバイル通信網システムにおいて前記複数の固定ＩＰサブネットのいずれかに接続されるアドレスサーバであって、
変更前のネットワークアドレスを用いたパケットの配送が無くなる時間まで前記変更前のネットワークアドレスと変更後のネットワークアドレスとを２重に保持するように前記複数の可変ＩＰサブネット各々のネットワークアドレスをランダムに変更して配付する配付手段を備えている。
【００１７】
本発明によるパケット配送方法は、複数のサブネットから構成され、モバイルＩＰ（Ｉｎｔｅｒｎｅｔ  Ｐｒｏｔｏｃｏｌ）を適用可能なモバイル通信網システムのパケット配送方法であって、
前記サブネットのアドレスをランダムに変更するステップと、
前記複数のサブネットに設けられかつ各々自サブネットに現在付与されているアドレスを自サブネット内に収容する端末に通知するステップと、
前記複数のサブネットに設けられかつ各々自サブネットに現在付与されているアドレスを隣接するルータに通知するステップとを備え、
前記サブネットにおいて、変更前のアドレスを用いたパケットの配送が無くなる時間まで前記変更前のアドレスと変更後のアドレスとを２重に保持するようにしている。
【００１８】
すなわち、本発明のモバイル通信網システムは、ＩＥＴＦ（ＩｎｔｅｒｎｅｔＥｎｇｉｎｅｅｒｉｎｇ  Ｔａｓｋ  Ｆｏｒｃｅ）によって規定されたモバイルＩＰ（Ｉｎｔｅｒｎｅｔ  Ｐｒｏｔｏｃｏｌ）プロトコルに基づいて通信を行うネットワークシステムにおいて、経路の最適化を実現するとともに、滞在先アドレスの開示によるプライバシィの侵害を防ぐことを特徴としている。
【００１９】
より具体的に説明すると、本発明のモバイル通信網システムは、ネットワークアドレスが固定である複数の固定ＩＰサブネットと、ネットワークアドレスが可変である複数の可変ＩＰサブネットとから構成され、このうち可変ＩＰサブネットにモバイルＩＰプロトコルで規定する外部エージェントルータが配備されている。
【００２０】
これによって、本発明のモバイル通信網システムでは、モバイルＩＰ端末が一時的に滞在する可能性のある可変ＩＰサブネットのネットワークアドレスを可変としながら、このネットワークアドレスのランダムな変更とＩＰ網内のルーティング情報更新とを外部エージェントルータで同期させることによって、滞在先サブネットのネットワークアドレスからそのルータの物理的位置を逆引きすることを防止することが可能としている。
【００２１】
また、該当するサブネットのルータに変更前後のネットワークアドレスを二重に持たせることによって、ネットワークアドレスのランダムな変更の際におけるパケット不達を防ぐことを可能としている。
【００２２】
【発明の実施の形態】
次に、本発明の実施例について図面を参照して説明する。図１は本発明の一実施例によるモバイル通信網システムの構成を示すブロック図である。図１において、モバイル通信網システム１は、固定ＩＰ（Ｉｎｔｅｒｎｅｔ  Ｐｒｏｔｏｃｏｌ）サブネット２１〜２ｎと、可変ＩＰサブネット３１〜３ｎとから構成され、ネットワークアドレスが固定である固定ＩＰサブネット２１〜２ｎはサブネット群２を構成している。
【００２３】
固定ＩＰサブネット２２はアドレスサーバ６に接続され、固定ＩＰサブネット２３は外部ＩＰネットワーク４に接続されている。また、モバイル通信網システム１にはモバイルＩＰ端末５１が滞在し、外部ＩＰネットワーク４にはＩＰ端末５２が接続されている。
【００２４】
固定ＩＰサブネット２１〜２ｎは相互に通信可能となるように接続されており、これらのうちの１つまたは複数のサブネットが伝送リンクで外部ＩＰネットワーク４に接続されている。図１では固定ＩＰサブネット２３のみが外部ＩＰネットワーク４に接続されているが、複数の固定ＩＰサブネットがリンクで同一の外部ＩＰネットワークへ接続されていてもかまわない。
【００２５】
可変ＩＰサブネット３１〜３ｎはそれぞれ１つまたは複数の固定ＩＰサブネットと接続されている。アドレスサーバ６は固定ＩＰサブネット２２に接続され、固定ＩＰサブネット２２から他の固定ＩＰサブネット２１，２３〜２ｎを介して可変ＩＰサブネット３１〜３ｎのすべてと通信可能である。この場合、アドレスサーバ６は固定ＩＰサブネット２１〜２ｎのいずれに接続されていてもかまわない。
【００２６】
モバイル通信網システム１に滞在するモバイルＩＰ端末５１は固定ＩＰサブネット２１〜２ｎのいずれかをホームネットワークとする。但し、通信状態においては、可変ＩＰサブネット３１〜３ｎのいずれかに（図１では可変ＩＰサブネット３４）在圏するものとし、自身のホームネットワークに在圏することはないものとする。
【００２７】
このような構成の実施例としては、固定ＩＰサブネット２１〜２ｎが、端末が直接接続することができない中継ルータ網であり、可変ＩＰサブネット３１〜３ｎが端末の無線接続可能な無線ＬＡＮ（Ｌｏｃａｌ  Ａｒｅａ  Ｎｅｔｗｏｒｋ）網である場合が挙げられる。
【００２８】
例えば、モバイルＩＰ端末５１のホームネットワークを固定ＩＰサブネット２１とした場合、この固定ＩＰサブネット２１内に対応するホームエージェント（図示せず）が置かれる。この場合、外部ＩＰネットワーク４に属するＩＰ端末５２からモバイルＩＰ端末５１へ送出されたパケットは、この固定ＩＰサブネット２１内のアドレスを宛先として配送され、このホームエージェントが代理受信した後、そこに登録されているモバイルＩＰ端末５１の在圏サブネット（図１では可変ＩＰサブネット３４）へ再転送される。
【００２９】
図１に示すように、モバイルＩＰ端末５１が可変ＩＰサブネット３４に在圏する場合には、固定ＩＰサブネット２１内のホームエージェントはモバイルＩＰ端末５１が可変ＩＰサブネット３４に在圏していることを認知し、到着パケットを可変ＩＰサブネット３４に転送する。この場合、可変ＩＰサブネット３４のＩＰアドレスはアドレスサーバ６から与えられた一時的な値で、これを網内の各ルータ、可変ＩＰサブネット３４内に在圏しているモバイルＩＰ端末５１、通信先のＩＰ端末５２にそれぞれ通知されている。これによって、通信先のＩＰ端末５２は通信相手のモバイルＩＰ端末５１の現在のＩＰアドレスを知ることになる。
【００３０】
このようにして、モバイルＩＰ端末５１宛てのパケットを在圏サブネット（図１では可変ＩＰサブネット３４）へ再転送する際に、この在圏サブネットに置かれた外部エージェントルータ（図示せず）のアドレスを送信元のＩＰ端末５２へ通知する。この通知されたアドレスを用いて、送信元のＩＰ端末５２は、次のパケット（２回目以降のパケット）から、獲得した外部エージェントルータ宛てに直接配送する。
【００３１】
尚、上記のＭｏｂｉｌｅ  ＩＰ（ｖｅｒ．４）では、可変ＩＰサブネット３１〜３ｎ全てに外部エージェントルータが配置されるが、Ｍｏｂｉｌｅ  ＩＰ（ｖｅｒ．６）では、可変ＩＰサブネット３１〜３ｎにおいて外部エージェントルータが配置されるものと、配置されないものとがある。また、外部エージェントルータは在圏のモバイルＩＰ端末の検知（モバイルＩＰ端末からの登録による）、ホームエージェントからのトンネリングパケットの受信及びそのパケットのモバイルＩＰ端末への転送、通常のルータと同様のＩＰパケット転送を行う。
【００３２】
図２は本発明の一実施例によるモバイル通信網システムのネットワークアドレスの変更手順を示すフローチャートである。これら図１及び図２を参照して可変ＩＰサブネット３１〜３ｎに置かれた外部エージェント機能を持つルータがネットワークアドレスを変更する手順について説明する。
【００３３】
アドレスサーバ６は可変ＩＰサブネット３１〜３ｎ各々に割り当てるネットワークアドレスとその利用期間とを決定し（図２ステップＳ１）、それらの情報を可変ＩＰサブネット３１〜３ｎ各々の外部エージェント機能を持つルータへ配布する（図２ステップＳ２）。この時の伝達手段は配布時に割り当てられているネットワークアドレスを用いたパケット配送でもよく、またオフラインの手段で予めルータ内のメモリに設定してあっても構わない。
【００３４】
可変ＩＰサブネット３１〜３ｎに置かれた外部エージェント機能を持つルータは、割り当てられたネットワークアドレスの利用期間が終了すると（図２ステップＳ１１）、まず自ルータの新しいネットワークアドレスを付与し、この新しいネットワークアドレスを持つサブネットが追加されたことを、ＩＰ経路制御手段（第２の通知手段）（図示せず）を用いて固定ＩＰサブネット２１〜２ｎ各々のルータへ通知する（図２ステップＳ１２）。
【００３５】
この際に用いるＩＰ経路制御手段は、ＲＩＰ（Ｒｏｕｔｉｎｇ  Ｉｎｆｏｒｍａｔｉｏｎ  Ｐｒｏｔｏｃｏｌ）やＯＳＰＦ（Ｏｐｅｎ  Ｓｈｏｒｔｅｓｔ  Ｐａｔｈ  Ｆｉｒｓｔ）等の分散的なＩＰルーティングプロトコルを用いた手段でもよく、また経路情報サーバを介した集中制御的な手段でもよい。
【００３６】
固定ＩＰサブネット２１〜２ｎ各々においては可変ＩＰサブネット３１〜３ｎに置かれた外部エージェント機能を持つルータからの通知によってルーティングテーブル（図示せず）を変更する（図２ステップＳ２１）。
【００３７】
アドレスサーバ６は可変ＩＰサブネット３１〜３ｎ各々にネットワークアドレスを割り当てる上で、ネットワークアドレス切替えの際に、一つの可変ＩＰサブネットが一定時間の間、２つのネットワークアドレスを持つようにネットワークアドレスの利用期間を決定する。
【００３８】
図３は図１のアドレスサーバ６によるアドレス付与例を示す図である。図３において、記号Ａ〜Ｚは可変ＩＰサブネット３１〜３ｎに割り当てられるために予め確保されたネットワークアドレスを示す。
【００３９】
図３に示すように、可変ＩＰサブネット３１〜３ｎ各々には各可変ＩＰサブネット３１〜３ｎに割り当てられるネットワークアドレスが時間に沿って切替えられるが、このネットワークアドレス切替えの際、一定の切替え時間Ｔの間、該当する可変ＩＰサブネット３１〜３ｎには２つのネットワークアドレスが割り当てられる。
【００４０】
この切替え時間Ｔの間には、第１の通知手段（図示せず）によって新しいネットワークアドレスが該当する可変ＩＰサブネット３１〜３ｎ内に公告され、可変ＩＰサブネット３１〜３ｎ内のモバイルＩＰ端末がそれに応じて在圏サブネットの変更を各々のホームエージェント及び通信相手に通知し、通信相手がこれに対応してパケット転送先のサブネットを切替えるまでに送出されたパケットの配送が無くなるまでの最大時間が設定される。
【００４１】
図３において、可変ＩＰサブネット３１はネットワークアドレスが「Ａ」→「Ｂ」→「Ｃ」→「Ｄ」→「Ｅ」と切替えられるが、それぞれの切替の際に「Ａ」と「Ｂ」、「Ｂ」と「Ｃ」、「Ｃ」と「Ｄ」、「Ｄ」と「Ｅ」はそれぞれ一定の切替え時間Ｔの間、重複して可変ＩＰサブネット３１に割り当てられることとなる。
【００４２】
可変ＩＰサブネット３２はネットワークアドレスが「Ｙ」→「Ｚ」→「Ａ」→「Ｂ」→「Ｃ」と切替えられるが、それぞれの切替の際に「Ｙ」と「Ｚ」、「Ｚ」と「Ａ」、「Ａ」と「Ｂ」、「Ｂ」と「Ｃ」はそれぞれ一定の切替え時間Ｔの間、重複して可変ＩＰサブネット３２に割り当てられることとなる。
【００４３】
可変ＩＰサブネット３３はネットワークアドレスが「Ｗ」→「Ｘ」→「Ｙ」→「Ｚ」→「Ａ」と切替えられるが、それぞれの切替の際に「Ｗ」と「Ｘ」、「Ｘ」と「Ｙ」、「Ｙ」と「Ｚ」、「Ｚ」と「Ａ」はそれぞれ一定の切替え時間Ｔの間、重複して可変ＩＰサブネット３３に割り当てられることとなる。
【００４４】
同様に、可変ＩＰサブネット３ｎはネットワークアドレスが「Ｉ」→「Ｊ」→「Ｋ」→「Ｌ」→「Ｍ」と切替えられるが、それぞれの切替の際に「Ｉ」と「Ｊ」、「Ｊ」と「Ｋ」、「Ｋ」と「Ｌ」、「Ｌ」と「Ｍ」はそれぞれ一定の切替え時間Ｔの間、重複して可変ＩＰサブネット３１に割り当てられることとなる。
【００４５】
図４は図１の可変ＩＰサブネット３１〜３ｎ内の外部エージェントルータ及び在圏中のモバイルＩＰ端末５１の動作を示すフローチャートであり、図５は本発明の一実施例によるモバイル通信網システムの動作を示すシーケンスチャートである。これら図１〜図５を参照して本発明の一実施例によるモバイル通信網システムの動作について説明する。
【００４６】
図５においては可変ＩＰサブネット３２のネットワークアドレスが「Ｚ」から、一定の２重アドレスを持つ切替え時間Ｔを経て「Ａ」に切替わる際の動作を示している。この図５において、ＦＡ３２は可変ＩＰサブネット３２の外部エージェントルータを、ＭＮ（１）〜ＭＮ（ｍ）は可変ＩＰサブネット３２内に在圏するモバイルＩＰ端末を、ＣＮ（１）〜ＣＮ（ｍ）はモバイルＩＰ端末ＭＮ（１）〜ＭＮ（ｍ）へパケットを送る通信相手をそれぞれ示している。
【００４７】
尚、図５中における「ＤＳＴ＝Ｘ：ＭＮ（ｋ）」の表記は、パケットの最終宛先がモバイルＩＰ端末ＭＮ（ｋ）であり、これを中継する外部エージェントのネットワークアドレスがＸであることを表している。
【００４８】
ネットワークアドレス切替え前には、通信相手ＣＮ（１）〜ＣＮ（ｍ）はそれぞれモバイルＩＰ端末ＭＮ（１）〜ＭＮ（ｍ）へパケットを送る際、モバイルＩＰプロトコルに基づき、外部エージェントルータＦＡ３２を示すネットワークアドレス「Ｚ」を宛先とするヘッダを付して送出を行う。このパケット送出はそれぞれ対応するモバイルＩＰ端末の在圏サブネット変更通知を受取るまで続けられる。
【００４９】
外部エージェントルータＦＡ３２に指定されたアドレス切替え時間に達すると（図４ステップＳ３１）、外部エージェントルータＦＡ３２は自ルータのアドレスを切替え前のアドレス「Ｚ」と切替え後のアドレス「Ａ」との２重アドレスに設定するとともに（図４ステップＳ３２）、可変ＩＰサブネット３２内の各モバイルＩＰ端末ＭＮ（１）〜ＭＮ（ｍ）に対して、ネットワークアドレスが切替え後のアドレス「Ａ」である内容を示すエージェント公告を第１の通知手段によって発行する（図４ステップＳ３３）。
【００５０】
可変ＩＰサブネット３２内の各モバイル端末ＭＮ（１）〜ＭＮ（ｍ）はこの公告メッセージを受取ると（図４ステップＳ４１）、自ノードが在圏するサブネットが切替え前のアドレス「Ｚ」から切替え後のアドレス「Ａ」に切替わったものと判断し（図４ステップＳ４２）、外部エージェントルータＦＡ３２を介して対応するホームエージェントと通信相手ＣＮ（１）〜ＣＮ（ｍ）とにその変更を伝える（図４ステップＳ４３）。
【００５１】
これによって、これまでＺ：ＭＮ（ｋ）にパケットを送出していたＣＮ（ｋ）は宛先端末の在圏サブネットが切替わったことに応じ、パケット送出先をＡ：ＭＮ（ｋ）に変更する。
【００５２】
このように、本実施例によれば、移動端末が在圏するサブネットのネットワークアドレスがランダムに変更されるため、在圏するサブネットアドレスからその所在位置を逆引きする行為を著しく困難にすることができ、経路最適化機能とプライバシ保護の要求とを両立させることができる。
【００５３】
【発明の効果】
以上説明したように本発明は、複数のサブネットから構成され、モバイルＩＰを適用可能なモバイル通信網システムにおいて、サブネットのアドレスをランダムに変更し、その変更内容の通知に際してサブネットの経路制御情報の変更を行ってからルータ公告を行い、サブネットにおいて、変更前のアドレスを用いたパケットの配送が無くなる時間まで変更前のアドレスと変更後のアドレスとを２重に保持することによって、経路最適化機能とプライバシ保護の要求とを両立させることができるという効果が得られる。
【図面の簡単な説明】
【図１】本発明の一実施例によるモバイル通信網システムの構成を示すブロック図である。
【図２】本発明の一実施例によるモバイル通信網システムのネットワークアドレスの変更手順を示すフローチャートである。
【図３】図１のアドレスサーバによるアドレス付与例を示す図である。
【図４】図１の可変ＩＰサブネット内の外部エージェントルータ及び在圏中のモバイルＩＰ端末の動作を示すフローチャートである。本発明の一実施例によるモバイル通信網システムの動作を示すシーケンスチャートである。
【図５】本発明の一実施例によるモバイル通信網システムの動作を示すシーケンスチャートである。
【図６】従来例によるモバイル通信網システムの構成の一例を示すブロック図である。
【図７】従来例によるモバイル通信網システムの構成の他の例を示すブロック図である。
【符号の説明】
１  モバイル通信網システム
２  サブネット群
４  外部ＩＰネットワーク
６  アドレスサーバ
２１〜２ｎ  固定ＩＰサブネット
３１〜３ｎ  可変ＩＰサブネット
５１  モバイルＩＰ端末
５２  ＩＰ端末
ＦＡ３２  外部エージェントルータ
ＭＮ（１）〜ＭＮ（ｍ）  モバイルＩＰ端末
ＣＮ（１）〜ＣＮ（ｍ）  通信相手
【図１】
0003659236.tif 000002
【図２】
0003659236.tif 000003
【図３】
0003659236.tif 000004
【図４】
0003659236.tif 000005
【図５】
0003659236.tif 000006
【図６】
0003659236.tif 000007
【図７】
0003659236.tif 000008